(57)【要約】【課題】  機器取付けに用いることができる縦フレーム脚の孔列数を従来よりも増加させた縦フレーム脚を用いた電気機器収納用箱体のフレーム構造を提供する。【解決手段】  各コーナー部に中空断面構造の縦フレーム脚１を配置した電気機器収納用箱体のフレーム構造であり、各縦フレーム脚１が少なくとも外縁部から電気機器収納用箱体の内側に折れ曲がる第１成形辺４と、この第１成形辺４の内側端をコーナー部２から離れる方向に折り曲げた第２成形辺５とを備え、これらの第１、第２成形辺の間に凹状空間部Ｅ、Ｆが形成された中空断面形状を有する。各縦フレーム脚１はロール成形により成形されたもの、あるいは折り曲げ加工により成形した２部材を接合したものである。【選択図】    図２
2004253824.tif 000002
【特許請求の範囲】
【請求項１】
機器取付用の孔列を備えた縦フレーム脚を各コーナー部に配置した電気機器収納用箱体のフレーム構造において、各縦フレーム脚がロール成形により成形されたものであり、少なくとも外縁部から電気機器収納用箱体の内側に折れ曲がる第１成形辺と、この第１成形辺の内側端を前記コーナー部から離れる方向に折り曲げた第２成形辺とを備え、これらの第１、第２成形辺の間に凹状空間部が形成された中空断面形状を有するものであることを特徴とする電気機器収納用箱体のフレーム構造。
【請求項２】
機器取付用の孔列を備えた縦フレーム脚を各コーナー部に配置した電気機器収納用箱体のフレーム構造において、各縦フレーム脚が折り曲げ加工により成形した２部材を接合したものであり、少なくとも外縁部から電気機器収納用箱体の内側に折れ曲がる第１成形辺と、この第１成形辺の内側端を前記コーナー部から離れる方向に折り曲げた第２成形辺とを備え、これらの第１、第２成形辺の間に凹状空間部が形成された中空断面形状を有するものであることを特徴とする電気機器収納用箱体のフレーム構造。
【発明の詳細な説明】
【技術分野】
【０００１】
本発明は、電気機器収納用箱体のフレーム構造に関するものである。
【背景技術】
【０００２】
配電盤キャビネット等の電気機器収納用箱体は、特許文献１に示されるように、各コーナー部に縦フレーム脚を配置し、これらの縦フレーム脚どうしを水平方向の横フレームで組み合わせたフレーム構造を有するものが一般的である。そして各縦フレーム脚は中空断面形状を有し、電気機器収納用箱体の内側となる片に機器取付用の孔列を一定ピッチで形成して、ラック等の各種パーツを取り付けられる構造となっている。
【０００３】
ところが従来のフレーム構造に用いられる縦フレーム脚は、特許文献１や図５０に示すように正方形または長方形の中空断面形状を有するものが普通であるため、電気機器収納用箱体の内側に面する辺は直交する２辺だけである。このためこれらの２辺に形成された孔列のみを利用して機器取付けを行わねばならず、機器の数や種類が増加すると孔列が不足することがあった。またこの欠点を解消するために、アルミ押出材により中空断面の外側に突辺を増設した縦フレーム脚も一部で用いられているが、成形コストが高くなり電気機器収納用箱体を安価に製作できないという欠点があった。
【特許文献１】特開昭６０−１４８３０６号公報
【発明の開示】
【発明が解決しようとする課題】
【０００４】
本発明は上記した従来の問題点を解決して、機器取付けに用いることができる縦フレーム脚の孔列数を従来よりも増加させた縦フレーム脚を用いた電気機器収納用箱体のフレーム構造を提供するためになされたものである。
【課題を解決するための手段】
【０００５】
上記の課題を解決するためになされた請求項１の発明のフレーム構造は、機器取付用の孔列を備えた縦フレーム脚を各コーナー部に配置した電気機器収納用箱体のフレーム構造において、各縦フレーム脚がロール成形により成形されたものであり、少なくとも外縁部から電気機器収納用箱体の内側に折れ曲がる第１成形辺と、この第１成形辺の内側端を前記コーナー部から離れる方向に折り曲げた第２成形辺とを備え、これらの第１、第２成形辺の間に凹状空間部が形成された中空断面形状を有するものであることを特徴とするものである。
【０００６】
また上記の課題を解決するためになされた請求項２の発明のフレーム構造は、機器取付用の孔列を備えた縦フレーム脚を各コーナー部に配置した電気機器収納用箱体のフレーム構造において、各縦フレーム脚が折り曲げ加工により成形した２部材を接合したものであり、少なくとも外縁部から電気機器収納用箱体の内側に折れ曲がる第１成形辺と、この第１成形辺の内側端を前記コーナー部から離れる方向に折り曲げた第２成形辺とを備え、これらの第１、第２成形辺の間に凹状空間部が形成された中空断面形状を有するものであることを特徴とするものである。
【０００７】
なお、縦フレーム脚をコーナー部の内側にも凹状空間部を備えたものとすることができ、縦フレーム脚の断面を略Ｔ字状とすることもできる。さらに、縦フレーム脚のコーナー部に形成された凹状空間部に連結金具を取り付け、隣接する縦フレームどうしを連結した構造とすることもできる。
【発明の効果】
【０００８】
本発明の電気機器収納用箱体のフレーム構造によれば、各コーナー部に配置された縦フレーム脚を従来にない特殊な中空断面形状を有するものとしたので、電気機器収納用箱体の内側に多数列の孔列を形成することができ、機器取付けに便利である。また縦フレーム脚をロール成形により一体に成形したり、プレス加工による折り曲げ加工で成形した２部材を接合したりして製造するので、低コストで製造可能である。さらにコーナー部にも凹状空間部を備えた形状としたり、断面が略Ｔ字状のものとすれば、これらの凹状空間部を利用して、機器取付け金具や連結金具の取付けが可能となる。
【発明を実施するための最良の形態】
【０００９】
図１は本発明のフレーム構造を採用した電気機器収納用箱体の概略的な平面図であり、四隅の各コーナー部に縦フレーム脚１が配置されている。各縦フレーム脚１は以下に詳述するとおりの特殊な中空断面形状を備え、かつ機器取付用の孔列を備えている。縦フレーム脚１はロール成形により成形することができるものである。これらの縦フレーム脚１、１間には水平フレームが架設され、また側面板、背面板、扉などが取り付けられて電気機器収納用箱体を構成することは従来と同様である。本発明の特徴は特殊な中空断面形状を備えた縦フレーム脚１を用いた点にあるため、この断面形状について以下に詳細に説明する。
【００１０】
図２は第１の実施形態の縦フレーム脚１を示す水平断面図であり、電気機器収納用箱体のコーナー部２から互いに直角方向に延びる外壁面Ａ、Ｂ上に位置する外縁部３、３と、これらの外縁部３、３から電気機器収納用箱体の内側に折れ曲がる第１成形辺４、４と、これらの第１成形辺４、４の内側端をコーナー部２から離れる方向に折り曲げた第２成形辺５、５とを備えている。そして、これらの第１成形辺４と第２成形辺５との間に、二つの凹状空間部Ｅ、Ｆが形成されている。
【００１１】
この図２の例では、外縁部３と第１成形辺４と第２成形辺５とはそれぞれ直角に折り曲げられている。また両側の第２成形辺５、５の先端部にはさらに第３成形辺６、６が直角に折り曲げ形成され、その先端部７は溶接等により接続されて連続した中空断面形状を構成している。ただし第３成形辺６、６の先端部７、７は必ずしも接続されていなくてもよく、実質的に中空断面形状を構成しておればよい。なおＸ、Ｙは縦フレーム脚１の対角線である。
【００１２】
第１成形辺４と第２成形辺５と第３成形辺６にはそれぞれ機器取付用の孔列８が形成されている。孔列８は上下方向に形成されているため、断面図にはそれぞれ１個の孔のみが表示されている。この結果、縦フレーム脚１の全体では６列の孔列８を形成することができ、従来の四角形の縦フレーム脚よりも各種パーツを機能的に取り付けることが可能となる。
【００１３】
図３は第２の実施形態の縦フレーム脚１を示す水平断面図であり、図２の実施形態の第３成形辺６、６の先端部７、７をコーナー部２に近づくようにくぼませて第４成形辺９を形成したものである。この第４成形辺９にも孔列８を形成することができるので、全部で８列の孔列８を形成することができることとなる。その他の構成は図２と同様であるので、対応する部分に同一の番号を付して説明を省略する。
【００１４】
図４は第３の実施形態の縦フレーム脚１を示す水平断面図であり、図２の実施形態の第１成形辺４を短くし、第２成形辺５との間の形成される二つの凹状空間部Ｅ、Ｆを長方形状としたものである。また第３成形辺６の先端を内側および外側に２度直角に折り曲げて第４成形辺９および第５成形辺１０を形成している。この場合には全部で１０列の孔列を形成することが可能となる。
【００１５】
図５は第４の実施形態の縦フレーム脚１を示す水平断面図であり、両側の第２成形辺５の先端間に傾斜成形辺１１を設けたものである。この傾斜成形辺１１にも孔列８を形成することができるので、全部で５列の孔列８を形成することができることとなる。
【００１６】
図６は第５の実施形態の縦フレーム脚１を示す水平断面図であり、両側の第３成形辺６の先端間に傾斜成形辺１１を設けたものである。この第３成形辺６と傾斜成形辺１１にも孔列８を形成することができるので、全部で７列の孔列８を形成することができることとなる。
【００１７】
図７は第６の実施形態の縦フレーム脚１を示す水平断面図であり、図４に示した第３の実施形態における第５成形辺１０を傾斜成形辺１１に置き換えた形状である。この例では全部で８列の孔列８を形成することができる。
【００１８】
図８は第７の実施形態の縦フレーム脚１を示す水平断面図であり、図２に示した第１の実施形態の外縁部３、３をコーナー部２で内側にくぼませて正方形状の凹状空間部Ｚを外側に形成したものである。その他の点はすべて第１の実施形態と同様である。
【００１９】
図９は第８の実施形態の縦フレーム脚１を示す水平断面図であり、図３に示した第２の実施形態の外縁部３、３をコーナー部２で内側にくぼませて正方形状の凹状空間部Ｚを形成したものである。その他の点はすべて第２の実施形態と同様である。
【００２０】
図１０は第９の実施形態の縦フレーム脚１を示す水平断面図であり、図４に示した第３の実施形態の外縁部３、３をコーナー部２で内側にくぼませて正方形状の凹状空間部Ｚを形成したものである。その他の点はすべて第３の実施形態と同様である。
【００２１】
図１１は第１０の実施形態の縦フレーム脚１を示す水平断面図であり、図５に示した第４の実施形態の外縁部３、３をコーナー部２で内側にくぼませて正方形状の凹状空間部Ｚを形成したものである。その他の点はすべて第４の実施形態と同様である。
【００２２】
図１２は第１１の実施形態の縦フレーム脚１を示す水平断面図であり、図６に示した第５の実施形態の外縁部３、３をコーナー部２で内側にくぼませて正方形状の凹状空間部Ｚを形成したものである。その他の点はすべて第５の実施形態と同様である。
【００２３】
図１３は第１２の実施形態の縦フレーム脚１を示す水平断面図であり、図７に示した第６の実施形態の外縁部３、３をコーナー部２で内側にくぼませて正方形状の凹状空間部Ｚを形成したものである。その他の点はすべて第６の実施形態と同様である。
【００２４】
図１４〜図１９は、第１３〜第１８の実施形態の縦フレーム脚１を示す水平断面図である。これらは、図２〜図７に示した第１〜第６の実施形態における外縁部３、３を、コーナー部２で２段に内側にくぼませてＬ字状の凹状空間部Ｚを形成したものである。その他の構成は第１〜第６の実施形態と同様であるので、説明を省略する。
【００２５】
図２０〜図２５は、第１９〜第２４の実施形態の縦フレーム脚１を示す水平断面図である。これらは、図２〜図７に示した第１〜第６の実施形態における外縁部３、３を、コーナー部２で段付き傾斜状にくぼませてほぼ五角形の凹状空間部Ｚを形成したものである。その他の構成は第１〜第６の実施形態と同様であるので、説明を省略する。
【００２６】
図２６〜図３１は、第２５〜第３０の実施形態の縦フレーム脚１を示す水平断面図である。これらは、図２〜図７に示した第１〜第６の実施形態における外縁部３、３を、コーナー部２で傾斜状にくぼませてほぼ三角形の凹状空間部Ｚを形成したものである。これらの場合には、コーナー部２から互いに直角方向に延びる外壁面Ａ、Ｂ上に位置する外縁部３、３は折り曲げ部のみとなる。その他の構成は第１〜第６の実施形態と同様であるので、説明を省略する。
【００２７】
図３２〜図３７は、第３１〜第３６の実施形態の縦フレーム脚１を示す水平断面図である。これらは、図２〜図７に示した第１〜第６の実施形態における外縁部３、３をコーナー部２で面取りして三角形の凹状空間部Ｚを形成したものである。その他の構成は第１〜第６の実施形態と同様であるので、説明を省略する。
【００２８】
図３８〜図４３は、第３７〜第４２の実施形態の縦フレーム脚１を示す水平断面図である。これらは、図２〜図７に示した第１〜第６の実施形態における外縁部３、３を、コーナー部２で長方形状にくぼませて凹状空間部Ｚを形成したものである。これらの実施形態では第２成形辺５に相当する部分が短くなっているため、凹状空間部Ｅに相当するものはほとんどなく、実質的に凹状空間部Ｆのみが形成されている。
【００２９】
図４４と図４５に示す第４３と第４４の実施形態は、縦フレーム脚１の片側の第２成形辺５を完全になくしたものである。図４４では外壁面Ａ側の外縁部３の先端を折り曲げた第１成形辺４は直線的に延びて、反対側からの第３成形辺６と接続している。このため、片側の凹状空間部Ｆのみが形成されている。また図４５では、逆に凹状空間部Ｅのみが形成されている。いずれもコーナー部２に凹状空間部Ｚが形成されており、Ｔ字状の断面形状をなしている。
【００３０】
このように縦フレーム脚１の断面形状をＴ字状としたものは、図４６に示すように凹状空間部ＥまたはＦと、コーナー部２の凹状空間部Ｚとを利用して扉２１、側面板２２、背面板２３などを取り付けるに便利であり、それらの端部を外側に突出させないように収納することができる。なお、側面板２２や背面板２３などはキャッチと呼ばれる引っかけ式の金具２４により垂直方向の数カ所のみで縦フレーム脚１に取り付けられているため、これらの金具２４の取付面の孔列８も機器取付に利用することができる。図４６には、縦フレーム脚１の孔列８を利用して機器取付レール、コンセント、線止めバー、配線ダクト等のパーツ類が取り付けられている。なお縦フレーム脚１が傾斜成形辺１１を有する場合には、コンセントや配線ダクト等は斜めに取り付けることができ、また機器取付レール、線止めバー類は両端部の取付金具を斜めにすればよい。
【００３１】
図４７は請求項４に対応する第４６の実施形態を示す図であり、隣接する縦フレーム１、１どうしを連結した状態を示す。図示の例では縦フレーム脚１の凹状空間部Ｅに連結金具２５を取り付けているため、内部の機器取付作業中に連結金具２５にひっかかってけがをするおそれがない。また縦フレーム脚１の中空部にねじ２６を係合させることができるので、連結部の取付強度を高めることができる。なお、扉２１の裏面のパッキン２７を縦フレーム脚１の外縁部３に接触させることができるので、確実な防水効果を得ることができる。
【００３２】
このほか、連結金具２５をコーナー側の凹状空間部Ｚの位置に取り付けることもできる。この場合には、図４７において扉２１側（下側）に連結金具２５が位置することとなる。このように、本発明によれば連結金具２５を電気機器収納用箱体の内側と外側の任意の側に取り付けることが可能となる。いずれの場合にも連結金具２５は数カ所に設けられるだけであるため、これらの連結金具２５の取付面の孔列８も機器取付に利用できることはいうまでもない。
【００３３】
図４８は図３８の第３７の実施形態の縦フレーム脚の使用状態を説明する図である。図示の例では縦フレーム脚１の凹状空間部Ｚが扉側に対して横長のものとしてあるので、扉のハンドルの裏側本体を収納することができ、また、扉３１側の外縁部３を側壁側の外縁部３に比べて幅薄形状とするとともに、側壁側の外縁部３を扉３１側の外縁部３に比べて幅広形状としてある。扉３１側の外縁部３は、扉３１が一端をヒンジで固定され、もう一端をハンドルで鎖錠する回転体のため、扉のパッキンに均等に押圧力が加わり、かつ、押圧力を高めるために側壁側の外縁部３に比べて幅薄形状としてある。また、側壁側の外縁部は、キャッチやねじ等によってパッキンに均等に押圧力がかかるので、扉３１側の外縁部３のような幅薄形状は必要なく、図４７の第４６の実施形態の時のように連結金具を使用する場合に強度を得るために、扉３１側の外縁部３に比べて幅広形状としてある。さらに扉３１側の第１成形辺４に接続される第２成形辺５には孔列８を設けず、側壁側の第１成形辺４に接続される孔列８を備えた第２成形辺５に比べて狭くすることによって、図示のように扉３１側の第１成形辺４に機器取付レールを取り付け、第２成形辺５に一部切欠いた、縦フレームと同方向の配線ダクトを取り付けることができ、しかも、凹状空間部Ｚに扉のハンドルの裏側本体を収納しつつ、縦フレーム脚１の断面が大きくならないものである。
【００３４】
図４９は図３８の第３７の実施形態の縦フレーム脚をロール成形より容易なプレス加工による折り曲げ加工により成形した２部材を接合した第４７の実施形態の縦フレーム脚の水平断面図であり、側壁側の外縁部３からさらに外側に突出させた辺部である固着部３０と、第２成形辺５等の内側の辺を内室側に突出させた辺部である固着部３２で溶接接続している。この固着部３０は側壁に垂直に向かい、端部は板材２枚分の厚さなので十分にパッキンを押圧できるものである。なお、この実施形態の他にいずれかの場所で接続してもよく、例えば、第１成形辺４と第２成形辺５との部分で接続し、固着部に孔列８を設けてもよい。
【００３５】
以上に詳細に説明したように、本発明の電気機器収納用箱体のフレーム構造によれば、縦フレーム脚の辺数を従来よりも増加させ、多数の孔列を機器取付けに用いることができる。またアルミ押出材を用いた場合に比較して電気機器収納用箱体の製作コストを低減することができるなどの利点がある。
【図面の簡単な説明】
【００３６】
【図１】本発明のフレーム構造を採用した電気機器収納用箱体の概略的な平面図である。
【図２】第１の実施形態の縦フレーム脚を示す水平断面図である。
【図３】第２の実施形態の縦フレーム脚を示す水平断面図である。
【図４】第３の実施形態の縦フレーム脚を示す水平断面図である。
【図５】第４の実施形態の縦フレーム脚を示す水平断面図である。
【図６】第５の実施形態の縦フレーム脚を示す水平断面図である。
【図７】第６の実施形態の縦フレーム脚を示す水平断面図である。
【図８】第７の実施形態の縦フレーム脚を示す水平断面図である。
【図９】第８の実施形態の縦フレーム脚を示す水平断面図である。
【図１０】第９の実施形態の縦フレーム脚を示す水平断面図である。
【図１１】第１０の実施形態の縦フレーム脚を示す水平断面図である。
【図１２】第１１の実施形態の縦フレーム脚を示す水平断面図である。
【図１３】第１２の実施形態の縦フレーム脚を示す水平断面図である。
【図１４】第１３の実施形態の縦フレーム脚を示す水平断面図である。
【図１５】第１４の実施形態の縦フレーム脚を示す水平断面図である。
【図１６】第１５の実施形態の縦フレーム脚を示す水平断面図である。
【図１７】第１６の実施形態の縦フレーム脚を示す水平断面図である。
【図１８】第１７の実施形態の縦フレーム脚を示す水平断面図である。
【図１９】第１８の実施形態の縦フレーム脚を示す水平断面図である。
【図２０】第１９の実施形態の縦フレーム脚を示す水平断面図である。
【図２１】第２０の実施形態の縦フレーム脚を示す水平断面図である。
【図２２】第２１の実施形態の縦フレーム脚を示す水平断面図である。
【図２３】第２２の実施形態の縦フレーム脚を示す水平断面図である。
【図２４】第２３の実施形態の縦フレーム脚を示す水平断面図である。
【図２５】第２４の実施形態の縦フレーム脚を示す水平断面図である。
【図２６】第２５の実施形態の縦フレーム脚を示す水平断面図である。
【図２７】第２６の実施形態の縦フレーム脚を示す水平断面図である。
【図２８】第２７の実施形態の縦フレーム脚を示す水平断面図である。
【図２９】第２８の実施形態の縦フレーム脚を示す水平断面図である。
【図３０】第２９の実施形態の縦フレーム脚を示す水平断面図である。
【図３１】第３０の実施形態の縦フレーム脚を示す水平断面図である。
【図３２】第３１の実施形態の縦フレーム脚を示す水平断面図である。
【図３３】第３２の実施形態の縦フレーム脚を示す水平断面図である。
【図３４】第３３の実施形態の縦フレーム脚を示す水平断面図である。
【図３５】第３４の実施形態の縦フレーム脚を示す水平断面図である。
【図３６】第３５の実施形態の縦フレーム脚を示す水平断面図である。
【図３７】第３６の実施形態の縦フレーム脚を示す水平断面図である。
【図３８】第３７の実施形態の縦フレーム脚を示す水平断面図である。
【図３９】第３８の実施形態の縦フレーム脚を示す水平断面図である。
【図４０】第３９の実施形態の縦フレーム脚を示す水平断面図である。
【図４１】第４０の実施形態の縦フレーム脚を示す水平断面図である。
【図４２】第４１の実施形態の縦フレーム脚を示す水平断面図である。
【図４３】第４２の実施形態の縦フレーム脚を示す水平断面図である。
【図４４】第４３の実施形態の縦フレーム脚を示す水平断面図である。
【図４５】第４４の実施形態の縦フレーム脚を示す水平断面図である。
【図４６】Ｔ字状縦フレーム脚を用いた電気機器収納用箱を示す水平断面図である。
【図４７】隣接する縦フレーム脚を連結した状態を示す水平断面図である。
【図４８】第３７の実施形態の縦フレームの使用状態の説明図である。
【図４９】第４７の実施形態の縦フレームを示す水平断面図である。
【図５０】従来例を示す水平断面図である。
【符号の説明】
【００３７】
Ａ  外壁面
Ｂ  外壁面
Ｅ  凹状空間部
Ｆ  凹状空間部
Ｚ  凹状空間部
１  縦フレーム脚
２  コーナー部
３  外縁部
４  第１成形辺
５  第２成形辺
６  第３成形辺
７  先端部
８  孔列
９  第４成形辺
１０  第５成形辺
１１  傾斜成形辺
２１  扉
２２  側面板
２３  背面板
２４  金具
２５  連結金具
２６  ねじ
２７  パッキン
【図１】
2004253824.tif 000003
【図２】
2004253824.tif 000004
【図３】
2004253824.tif 000005
【図４】
2004253824.tif 000006
【図５】
2004253824.tif 000007
【図６】
2004253824.tif 000008
【図７】
2004253824.tif 000009
【図８】
2004253824.tif 000010
【図９】
2004253824.tif 000011
【図１０】
2004253824.tif 000012
【図１１】
2004253824.tif 000013
【図１２】
2004253824.tif 000014
【図１３】
2004253824.tif 000015
【図１４】
2004253824.tif 000016
【図１５】
2004253824.tif 000017
【図１６】
2004253824.tif 000018
【図１７】
2004253824.tif 000019
【図１８】
2004253824.tif 000020
【図１９】
2004253824.tif 000021
【図２０】
2004253824.tif 000022
【図２１】
2004253824.tif 000023
【図２２】
2004253824.tif 000024
【図２３】
2004253824.tif 000025
【図２４】
2004253824.tif 000026
【図２５】
2004253824.tif 000027
【図２６】
2004253824.tif 000028
【図２７】
2004253824.tif 000029
【図２８】
2004253824.tif 000030
【図２９】
2004253824.tif 000031
【図３０】
2004253824.tif 000032
【図３１】
2004253824.tif 000033
【図３２】
2004253824.tif 000034
【図３３】
2004253824.tif 000035
【図３４】
2004253824.tif 000036
【図３５】
2004253824.tif 000037
【図３６】
2004253824.tif 000038
【図３７】
2004253824.tif 000039
【図３８】
2004253824.tif 000040
【図３９】
2004253824.tif 000041
【図４０】
2004253824.tif 000042
【図４１】
2004253824.tif 000043
【図４２】
2004253824.tif 000044
【図４３】
2004253824.tif 000045
【図４４】
2004253824.tif 000046
【図４５】
2004253824.tif 000047
【図４６】
2004253824.tif 000048
【図４７】
2004253824.tif 000049
【図４８】
2004253824.tif 000050
【図４９】
2004253824.tif 000051
【図５０】
2004253824.tif 000052